(57)【要約】【課題】主に各種電子機器の遠隔操作に用いられるリモコン送信機に関し、電池の消耗を防ぎ、長寿命化が図れるものを提供することを目的とする。【解決手段】制御手段９が操作手段２の操作状態を検出すると共に、あるキーが所定時間継続して操作された時には、送信手段４からのリモコン信号の送信を停止させることによって、誤まってキーが長時間押圧され続けた場合でも、電池の消耗を防ぎ、長寿命化が図れるリモコン送信機を得ることができる。【選択図】図１
2006005728.tif 000002
【特許請求の範囲】
【請求項１】
複数のキーから形成された操作手段と、この操作手段の操作に応じて送信手段からリモコン信号を送信する制御手段からなり、上記制御手段が上記操作手段の操作状態を検出すると共に、キーが所定時間継続して操作された時、上記送信手段からのリモコン信号の送信を停止させるリモコン送信機。
【発明の詳細な説明】
【技術分野】
【０００１】
本発明は、主に映像や音響機器等の各種電子機器の遠隔操作に用いられるリモコン送信機に関するものである。
【背景技術】
【０００２】
近年、リモコン送信機を用いて映像や音響機器等の各種電子機器の遠隔操作が広く行われるなか、高機能化や長寿命化を図ったリモコン送信機が求められている。
【０００３】
このような従来のリモコン送信機について、図３を用いて説明する。
【０００４】
図３は従来のリモコン送信機の正面図であり、同図において、１は略箱状の絶縁樹脂製の筐体で、この筐体１上面には、下面にスイッチ接点が設けられた複数のキーが、上下動可能に突出して操作手段２が形成されている。
【０００５】
また、筐体１内には電池や上下面に複数の配線パターンが形成された配線基板（図示せず）が収納され、この配線基板の上下面に実装されたマイコン等の電子部品によって制御手段３や、発光ダイオード等の電子部品によって送信手段４が形成されて、リモコン送信機が構成されている。
【０００６】
以上の構成において、このようなリモコン送信機の所定のキー、例えば、電源の入／切用のキー２Ａや音量切換え用のキー２Ｂ等を押圧操作すると、この個所のスイッチ接点の電気的接離が行われ、制御手段３がこれらの操作状態を検出する。
【０００７】
そして、これらに対応した赤外線のリモコン信号が送信手段４から電子機器へ送信され、これを機器に設けられた受信機（図示せず）が受信して、例えば、テレビやオーディオ、エアコン等の電源の入／切や、音量の増減等が遠隔操作によって行われる。
【０００８】
なお、このような遠隔操作時、キーによって操作する時間には長短があり、例えば、電源の入／切用のキー２Ａ等は短く、音量切切換え用のキー２Ｂ等は比較的長い時間操作されるが、あるキーを押圧操作している間は、送信手段４からは同じリモコン信号が継続して送信される。
【０００９】
これに対し、機器の受信機は、例えば、電源の入／切用のリモコン信号が継続して送信された場合には、最初の信号を受信して電源の入／切を行った後は、送信が一旦中断して次の信号が送られてくるまでは、以降の継続して送られてくる信号を無視する処理を行っている。
【００１０】
また、音量切換えや温度切換え等のリモコン信号が継続して送信された場合には、受信機はその信号を受け付け続け、その間音量や温度を上げたり下げたりするが、最大音量や温度または最小音量や温度になった後も、信号が続けて送られてくる場合には、それ以降は信号は受信するが受け付けた信号を無視する処理を行うように構成されている。
【００１１】
なお、この出願の発明に関連する先行技術文献情報としては、例えば、特許文献１が知られている。
【特許文献１】特開２００１−３２０７８９号公報
【発明の開示】
【発明が解決しようとする課題】
【００１２】
しかしながら、上記従来のリモコン送信機においては、何れかのキーが押圧操作され続けている間は、送信手段４からリモコン信号が継続して送信されるように構成されているため、リモコン送信機が誤まって家具等の下に挟まったり、本等の下敷きになって、キーが押圧された状態が続くと、この間シリコン信号が送信されつづけ、常に電流が消費されて電池が早く消耗してしまうという課題があった。
【００１３】
本発明は、このような従来の課題を解決するものであり、誤まってキーが長時間押圧され続けた場合でも、電池の消耗を防ぎ、長寿命化が図れるリモコン送信機を提供することを目的とする。
【課題を解決するための手段】
【００１４】
上記目的を達成するために本発明は、制御手段が操作手段の操作状態を検出すると共に、キーが所定時間継続して操作された時、送信手段からのリモコン信号の送信を停止させるようにしてリモコン送信機を構成したものであり、誤まってキーが長時間押圧され続けた場合には、制御手段が送信手段からのリモコン信号の送信を停止させるため、電池の消耗を防ぎ、長寿命化が図れるリモコン送信機を得ることができるという作用を有する。
【発明の効果】
【００１５】
以上のように本発明によれば、電池の消耗を防ぎ、長寿命化が図れるリモコン送信機を実現できるという有利な効果が得られる。
【発明を実施するための最良の形態】
【００１６】
以下、本発明の実施の形態について、図１及び図２を用いて説明する。
【００１７】
なお、背景技術の項で説明した構成と同一構成の部分には同一符号を付して、詳細な説明を簡略化する。
【００１８】
（実施の形態）
図１は本発明の一実施の形態によるリモコン送信機のブロック回路図、図２は同正面図であり、同図において、１は略箱状でポリスチレンやＡＢＳ等の絶縁樹脂製の筐体で、この筐体１上面には、下面にスイッチ接点が設けられたゴムや絶縁樹脂製の複数のキーが、上下動可能に突出して操作手段２が形成されている。
【００１９】
また、筐体１内には電池や、上下面に銅箔等によって複数の配線パターンが形成された、紙フェノールやガラス入りエポキシ等の配線基板（図示せず）が収納され、この配線基板の上下面に実装されたマイコン等の電子部品によって、制御手段９が形成されている。
【００２０】
さらに、この配線基板には、発光ダイオード等の電子部品によってリモコン信号を送信する送信手段４や、水晶発振子等によって所定間隔でクロック信号を発生する発振手段１０が、各々形成されてリモコン送信機が構成されている。
【００２１】
以上の構成において、このようなリモコン送信機の所定のキー、例えば、電源の入／切用のキー２Ａや音量切換え用のキー２Ｂ等を押圧操作すると、この個所のスイッチ接点の電気的接離が行われ、制御手段９がこれらの操作状態を検出する。
【００２２】
そして、これらに対応した赤外線のリモコン信号が送信手段４から電子機器へ送信され、これを機器に設けられた受信機（図示せず）が受信して、例えば、テレビやオーディオ、エアコン等の電源の入／切や、音量の増減等が遠隔操作によって行われる。
【００２３】
また、このキー２Ａや２Ｂ等が押された時、制御手段９はこれらの操作状態を検出すると共に、発振手段１０を用いて、これらのキーの操作時間のカウントを始める。
【００２４】
そして、あるキーが押し続けられた時間が所定時間内であれば、例えば、電源の入／切用のキー２Ａが５秒間押圧された場合には、送信手段４からリモコン信号が５秒間送信された後、押圧操作が終了すると送信が停止するが、同時に制御手段９によるキー２Ａの操作時間のカウントも停止する。
【００２５】
次に、例えば、音量切換え用のキー２Ｂが押圧操作されると、制御手段９が同様に、今度はキー２Ｂの操作状態を検出すると同時に、その操作時間のカウントを始め、これも所定時間内に操作が終了した場合には、リモコン信号送信の停止と同時に操作時間のカウントも停止する。
【００２６】
但し、この時、例えばキー２Ｂが長時間押圧操作され続けた場合には、制御手段９がその操作状態の検出と共に、操作時間のカウントを続け、所定時間、例えば５分或いは１０分間継続して押圧操作された場合には、制御手段９が送信手段４からのリモコン信号の送信を停止させる。
【００２７】
つまり、あるキーが５分や１０分といった長時間にわたって押圧操作され続けた場合には、通常の遠隔操作状態ではなく、リモコン送信機が何か異常な状態に置かれてキーが押圧操作され続けていると判断し、所定時間継続して操作された時には、制御手段９が送信手段４からのリモコン信号の送信を停止させるように構成されている。
【００２８】
従って、リモコン送信機が誤まって家具等の下に挟まったり、本等の下敷きになって、キーが押圧された状態が続いた場合等にも、所定時間経った後は、５ｍＡ程度である制御手段９のマイコン等の消費電流に比べ、５０ｍＡ前後と消費電流の大きな発光ダイオード等の、送信手段４からのリモコン信号の送信が停止されるため、電池の消耗を防止することができる。
【００２９】
このように本実施の形態によれば、制御手段９が操作手段２の操作状態を検出すると共に、あるキーが所定時間継続して操作された時には、送信手段４からのリモコン信号の送信を停止させることによって、電池の消耗を防ぎ、長寿命化が図れるリモコン送信機を得ることができるものである。
【産業上の利用可能性】
【００３０】
本発明によるリモコン送信機は、電池の消耗を防ぎ、長寿命化が図れるものが得られ、主に各種電子機器の遠隔操作用として有用である。
【図面の簡単な説明】
【００３１】
【図１】本発明の一実施の形態によるリモコン送信機のブロック回路図
【図２】同正面図
【図３】従来のリモコン送信機の正面図
【符号の説明】
【００３２】
１  筐体
２  操作手段
２Ａ、２Ｂ  キー
４  送信手段
９  制御手段
１０  発振手段
【図１】
2006005728.tif 000003
【図２】
2006005728.tif 000004
【図３】
2006005728.tif 000005